(57)【特許請求の範囲】
【請求項１】
洗浄箱と前記洗浄箱の中に位置した振動空間を含み、前記振動空間の中には振動網が固定的に設置され、前記洗浄箱の中には泥収集箱が固定的に設置され、前記泥収集箱の中には泥収集空間が設置され、前記洗浄箱の中には洗浄空間が設置され、前記洗浄空間と前記振動空間が入り空間と、入り穴により連通しており、前記洗浄空間の中には噴霧化器が固定的に設置され、前記噴霧化器には噴霧化ノズルが固定的に設置され、前記噴霧化ノズルが前記噴霧化器に沿って十三個設置され、前記洗浄空間の中には洗浄装置が固定的に設置され、前記洗浄空間の中にはピストン板が設置され、前記ピストン板が上下にスライドでき、前記洗浄箱の中にはろ過空間が設置され、前記ろ過空間の中にはろ過網が固定的に設置され、前記洗浄箱の中には前記ろ過網の下端に位置した貯水空間が設置され、前記洗浄箱の中には水ポンプが固定的に設置され、前記水ポンプが前後対称に設置され、前記洗浄箱の中には乾燥空間が設置され、前記乾燥空間と前記ろ過空間が第一貫穴と、第二貫穴により連通しており、前記乾燥空間の中には乾燥伝動装置が設置され、前記洗浄空間の中には前記乾燥空間の下側に位置した生薬収集箱が設置され、前記生薬収集箱の底壁には通風穴が設置され、前記通風穴が細かいメッシュの通気穴であり、前記洗浄箱の中には押し装置が設置され、前記振動網が振動し、生薬にある泥が落ち、第一押し板が生薬を前記洗浄空間の中に押し、前記水ポンプが前記貯水空間内の水を前記噴霧化器の中に吸い、前記噴霧化ノズルにより噴出し、前記洗浄装置が始動され生薬を洗浄し、洗浄された水が前記ろ過網を通じて前記貯水空間の中に戻り、前記ピストン板が下方へ移動し、前記押し装置が始動されて生薬を前記乾燥空間の中に押し、前記乾燥伝動装置が始動されて生薬を乾燥した後に前記生薬収集箱の中に送ることを特徴とする自動化生薬洗浄設備。
【請求項２】
前記洗浄箱の中には生薬入り口が固定的に設置され、前記生薬入り口が下方に開口しており、前記生薬入り口と前記振動空間が連通しており、洗浄する必要がある生薬が前記生薬入り口を通じて前記振動空間の中に入ることを特徴とする請求項１に記載の自動化生薬洗浄設備。
【請求項３】
前記洗浄箱の中には第一電動ガイドレールが設置され、前記第一電動ガイドレールの中には第一スライドブロックが設置され、前記第一スライドブロックが前記第一電動ガイドレールの中で上下にスライドでき、前記第一スライドブロックには第一連結ロッドが固定的に設置され、前記振動空間の中には前記振動網の上端面に位置した第一押し板が設置され、前記第一押し板と前記第一連結ロッドが固定的に連結され、前記第一スライドブロックが下方へ移動するとき、前記第一連結ロッドを通じて前記第一押し板を押して左方へ移動させ、前記振動網にある生薬を前記洗浄空間の中に押すことを特徴とする請求項１に記載の自動化生薬洗浄設備。
【請求項４】
前記洗浄装置の中には洗浄モーターが固定的に設置され、前記洗浄モーターには洗浄回転軸が回転できるように設置され、前記洗浄回転軸には主動羽根が固定的に設置され、前記洗浄回転軸には主動歯車が固定的に設置され、前記主動歯車と伝動歯車が噛み合っており、前記伝動歯車の中には伝動軸が固定的に設置され、前記伝動軸には伝動羽根が固定的に設置され、前記洗浄モーターが始動されて前記洗浄回転軸を回転させ、前記洗浄回転軸が前記主動歯車と、前記伝動歯車により前記伝動軸を回転させ、前記主動羽根と、前記伝動羽根を回転させて生薬にある泥と不純物を洗浄することを特徴とする請求項１に記載の自動化生薬洗浄設備。
【請求項５】
前記ろ過空間の中には前記ろ過網の上表面に位置したモーターが固定的に設置され、前記モーターにはねじ山スリーブが固定的に設置され、前記ねじ山スリーブの中にはねじ山により連結されたねじ山ロッドが設置され、前記ねじ山ロッドが上方へ延びており、前記ねじ山ロッドと前記ピストン板とが固定的に連結され、前記モーターが始動されて前記ねじ山スリーブを回転させ、前記ねじ山スリーブが回転して前記ねじ山ロッドにより前記ピストン板を下方へ移動させることを特徴とする請求項１に記載の自動化生薬洗浄設備。
【請求項６】
前記洗浄箱の中には第二電動ガイドレールが設置され、前記押し装置の中には前記第二電動ガイドレールの中に位置した第二スライドブロックが設置され、前記第二スライドブロックが上下にスライドでき、前記押し装置の中には第二押し板が設置され、前記第二スライドブロックには第二連結ロッドが設置され、前記第二連結ロッドと前記第二押し板とが固定的に連結され、前記第二電動ガイドレールが始動され、前記第二スライドブロックが前記第二電動ガイドレールの中で下方へ移動するとき、前記第二連結ロッドにより前記第二押し板を押して右方へ移動させ、前記ピストン板にある生薬を前記第一貫穴と、前記第二貫穴により前記乾燥空間の中に押すことを特徴とする請求項１に記載の自動化生薬洗浄設備。
【請求項７】
前記乾燥伝動装置の中には乾燥モーターが固定的に設置され、前記乾燥モーターには乾燥回転軸が回転できるように設置され、前記乾燥回転軸には乾燥羽根が固定的に設置され、前記乾燥モーターが始動されて前記乾燥回転軸を回転させ、前記乾燥回転軸が回転して前記乾燥羽根を回転させ、前記乾燥羽根が回転して前記乾燥空間の中の生薬を乾燥することを特徴とする請求項１に記載の自動化生薬洗浄設備。
【請求項８】
前記乾燥回転軸には第一歯車が固定的に設置され、前記乾燥回転軸には第一傘歯車が固定的に設置され、前記第一傘歯車と第二傘歯車とが噛み合っており、前記第二傘歯車には回転軸が回転できるように設置され、前記回転軸と主動回転軸とがプーリーにより連結され、前記乾燥伝動装置の中には伝動回転軸が回転できるように設置され、前記主動回転軸と前記伝動回転軸とがベルトにより連結されていることを特徴とする請求項７に記載の自動化生薬洗浄設備。
【請求項９】
前記洗浄箱の中には空き空間が設置され、前記第一歯車と第二歯車とが噛み合っており、前記第二歯車には第一回転軸が固定的に設置され、前記第一回転軸には第三傘歯車が固定的に設置され、前記第三傘歯車が第四傘歯車と噛み合っており、前記第四傘歯車には第二回転軸が回転できるように設置され、前記第二回転軸には第三歯車が固定的に設置され、前記第三歯車が第四歯車と噛み合っており、前記第四歯車の中には第三回転軸が回転できるように設置され、前記第三回転軸にはカムが固定的に設置され、前記洗浄箱の中にはスライド溝が形成され、前記スライド溝の中にはスライドブロックがスライドできるように設置され、前記スライドブロックと前記スライド溝とがばねにより連結され、前記スライドブロックの左端には固定ロッドが固定的に設置され、前記固定ロッドと振動板とが固定的に連結され、前記カムにより振動板に連続的に泥収集箱を振動させることを特徴とする請求項１に記載の自動化生薬洗浄設備。
【発明の詳細な説明】
【技術分野】
【０００１】
本発明は生薬加工技術分野を取り上げて、具体的には自動化生薬洗浄設備である。
【背景技術】
【０００２】
生薬を加工するには乾燥と、スライスと、粉砕などが必要となり、上記の工程の前に、生薬自身の衛生を確保するために、購入した生薬を洗浄する必要があり、生薬自身の泥を洗浄するだけではなく、生薬に付着した毛や不純物も取り除く。既存技術において、生薬を洗浄するとき、主に手動で洗浄するが、効率が低く、徹底的にきれいに洗浄できなく、水を無駄にし、従って、自動化生薬洗浄設備で上記問題を解決する必要があり、上記デメリットに対し、本願発明が改善した。
【先行技術文献】
【特許文献】
【０００３】
【特許文献１】中国特許出願公開第１０３７５２５６４号明細書
【発明の概要】
【発明が解決しようとする課題】
【０００４】
本発明の目的は自動化生薬洗浄設備を提供し、それは上記の現在の技術中の問題を解決できる。
【課題を解決するための手段】
【０００５】
本発明は以下の技術プランを通じて実現する。
【０００６】
自動化生薬洗浄設備は、洗浄箱と前記洗浄箱の中に位置した振動空間を含み、前記振動空間の中には振動網が固定的に設置され、前記洗浄箱の中には泥収集箱が固定的に設置され、前記泥収集箱の中には泥収集空間が設置され、前記洗浄箱の中には洗浄空間が設置され、前記洗浄空間と前記振動空間が入り空間と、入り穴により連通しており、前記洗浄空間の中には噴霧化器が固定的に設置され、前記噴霧化器には噴霧化ノズルが固定的に設置され、前記噴霧化ノズルが前記噴霧化器に沿って十三個設置され、前記洗浄空間の中には洗浄装置が固定的に設置され、前記洗浄空間の中にはピストン板が設置され、前記ピストン板が上下にスライドでき、前記洗浄箱の中にはろ過空間が設置され、前記ろ過空間の中にはろ過網が固定的に設置され、前記洗浄箱の中には前記ろ過網の下端に位置した貯水空間が設置され、前記洗浄箱の中には水ポンプが固定的に設置され、前記水ポンプが前後対称に設置され、前記洗浄箱の中には乾燥空間が設置され、前記乾燥空間と前記ろ過空間が第一貫穴と、第二貫穴により連通しており、前記乾燥空間の中には乾燥伝動装置が設置され、前記洗浄空間の中には前記乾燥空間の下側に位置した生薬収集箱が設置され、前記生薬収集箱の底壁には通風穴が設置され、前記通風穴が細かいメッシュの通気穴であり、前記洗浄箱の中には押し装置が設置され、前記振動網が振動し、生薬にある泥が落ち、第一押し板が生薬を前記洗浄空間の中に押し、前記水ポンプが前記貯水空間内の水を前記噴霧化器の中に吸い、前記噴霧化ノズルにより噴出し、前記洗浄装置が始動され生薬を洗浄し、洗浄された水が前記ろ過網を通じて前記貯水空間の中に戻り、前記ピストン板が下方へ移動し、前記押し装置が始動されて生薬を前記乾燥空間の中に押し、前記乾燥伝動装置が始動されて生薬を乾燥した後に前記生薬収集箱の中に送る。
【０００７】
更に、前記洗浄箱の中には生薬入り口が固定的に設置され、前記生薬入り口が下方に開口しており、前記生薬入り口と前記振動空間が連通しており、洗浄する必要がある生薬が前記生薬入り口を通じて前記振動空間の中に入る。
【０００８】
更に、前記洗浄箱の中には第一電動ガイドレールが設置され、前記第一電動ガイドレールの中には第一スライドブロックが設置され、前記第一スライドブロックが前記第一電動ガイドレールの中で上下にスライドでき、前記第一スライドブロックには第一連結ロッドが固定的に設置され、前記振動空間の中には前記振動網の上端面に位置した第一押し板が設置され、前記第一押し板と前記第一連結ロッドが固定的に連結され、前記第一スライドブロックが下方へ移動するとき、前記第一連結ロッドを通じて前記第一押し板を押して左方へ移動させ、前記振動網にある生薬を前記洗浄空間の中に押す。
【０００９】
更に、前記洗浄装置の中には洗浄モーターが固定的に設置され、前記洗浄モーターには洗浄回転軸が回転できるように設置され、前記洗浄回転軸には主動羽根が固定的に設置され、前記洗浄回転軸には主動歯車が固定的に設置され、前記主動歯車と伝動歯車が噛み合っており、前記伝動歯車の中には伝動軸が固定的に設置され、前記伝動軸には伝動羽根が固定的に設置され、前記洗浄モーターが始動されて前記洗浄回転軸を回転させ、前記洗浄回転軸が前記主動歯車と、前記伝動歯車により前記伝動軸を回転させ、前記主動羽根と、前記伝動羽根を回転させて生薬にある泥と不純物を洗浄する。
【００１０】
更に、前記ろ過空間の中には前記ろ過網の上表面に位置したモーターが固定的に設置され、前記モーターにはねじ山スリーブが固定的に設置され、前記ねじ山スリーブの中にはねじ山により連結されたねじ山ロッドが設置され、前記ねじ山ロッドが上方へ延びており、前記ねじ山ロッドと前記ピストン板とが固定的に連結され、前記モーターが始動されて前記ねじ山スリーブを回転させ、前記ねじ山スリーブが回転して前記ねじ山ロッドにより前記ピストン板を下方へ移動させる。
【００１１】
更に、前記洗浄箱の中には第二電動ガイドレールが設置され、前記押し装置の中には前記第二電動ガイドレールの中に位置した第二スライドブロックが設置され、前記第二スライドブロックが上下にスライドでき、前記押し装置の中には第二押し板が設置され、前記第二スライドブロックには第二連結ロッドが設置され、前記第二連結ロッドと前記第二押し板とが固定的に連結され、前記第二電動ガイドレールが始動され、前記第二スライドブロックが前記第二電動ガイドレールの中で下方へ移動するとき、前記第二連結ロッドにより前記第二押し板を押して右方へ移動させ、前記ピストン板にある生薬を前記第一貫穴と、前記第二貫穴により前記乾燥空間の中に押す。
【００１２】
更に、前記乾燥伝動装置の中には乾燥モーターが固定的に設置され、前記乾燥モーターには乾燥回転軸が回転できるように設置され、前記乾燥回転軸には乾燥羽根が固定的に設置され、前記乾燥モーターが始動されて前記乾燥回転軸を回転させ、前記乾燥回転軸が回転して前記乾燥羽根を回転させ、前記乾燥羽根が回転して前記乾燥空間の中の生薬を乾燥する。
【００１３】
更に、前記乾燥回転軸には第一歯車が固定的に設置され、前記乾燥回転軸には第一傘歯車が固定的に設置され、前記第一傘歯車と第二傘歯車とが噛み合っており、前記第二傘歯車には回転軸が回転できるように設置され、前記回転軸と主動回転軸とがプーリーにより連結され、前記乾燥伝動装置の中には伝動回転軸が回転できるように設置され、前記主動回転軸と前記伝動回転軸とがベルトにより連結されている。
【００１４】
更に、前記洗浄箱の中には空き空間が設置され、前記第一歯車と第二歯車とが噛み合っており、前記第二歯車には第一回転軸が固定的に設置され、前記第一回転軸には第三傘歯車が固定的に設置され、前記第三傘歯車が第四傘歯車と噛み合っており、前記第四傘歯車には第二回転軸が回転できるように設置され、前記第二回転軸には第三歯車が固定的に設置され、前記第三歯車が第四歯車と噛み合っており、前記第四歯車の中には第三回転軸が回転できるように設置され、前記第三回転軸にはカムが固定的に設置され、前記洗浄箱の中にはスライド溝が形成され、前記スライド溝の中にはスライドブロックがスライドできるように設置され、前記スライドブロックと前記スライド溝とがばねにより連結され、前記スライドブロックの左端には固定ロッドが固定的に設置され、前記固定ロッドと振動板とが固定的に連結され、前記カムにより振動板に連続的に泥収集箱を振動させる。
【発明の効果】
【００１５】
本願発明の有益な効果は：本願発明は自動的に生薬の泥と不純物を洗浄でき、手動処理より生産効率を高め、本願発明は段階的な処理方法を採用し、まず生薬を振って生薬にある泥を可能な限り落としてから生薬をブラシと噴霧化された水で洗浄し、生薬から落ちにくい泥と不純物を洗い流し、洗浄に使われた水は、ろ過された後にリサイクルされるため、水の使用量が節約され、洗浄コストが削減される。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本願発明の全体構造概略図
【図２】図２は図１のＡ―Ａの構造概略図
【図３】図３は図１のＢ―Ｂの構造概略図
【図４】図４は図１のＣ―Ｃの構造概略図
【図５】図５は図１のＤ―Ｄの構造概略図
【発明を実施するための形態】
【００１８】
図１〜５を参照し、自動化生薬洗浄設備は、洗浄箱１０と前記洗浄箱１０の中に位置した振動空間２９を含み、前記振動空間２９の中には振動網３１が固定的に設置され、前記洗浄箱１０の中には泥収集箱３２が固定的に設置され、前記泥収集箱３２の中には泥収集空間３３が設置され、前記洗浄箱１０の中には洗浄空間６０が設置され、前記洗浄空間６０と前記振動空間２９が入り空間２３と、入り穴２２により連通しており、前記洗浄空間６０の中には噴霧化器１５が固定的に設置され、前記噴霧化器１５には噴霧化ノズル１８が固定的に設置され、前記噴霧化ノズル１８が前記噴霧化器１５に沿って十三個設置され、前記洗浄空間６０の中には洗浄装置６１が固定的に設置され、前記洗浄空間６０の中にはピストン板１６が設置され、前記ピストン板１６が上下にスライドでき、前記洗浄箱１０の中にはろ過空間１２が設置され、前記ろ過空間１２の中にはろ過網１１が固定的に設置され、前記洗浄箱１０の中には前記ろ過網１１の下端に位置した貯水空間４１が設置され、前記洗浄箱１０の中には水ポンプ４５が固定的に設置され、前記水ポンプ４５が前後対称に設置され、前記洗浄箱１０の中には乾燥空間５３が設置され、前記乾燥空間５３と前記ろ過空間１２が第一貫穴５４と、第二貫穴５５により連通しており、前記乾燥空間５３の中には乾燥伝動装置６２が設置され、前記洗浄空間１０の中には前記乾燥空間５３の下側に位置した生薬収集箱５９が設置され、前記生薬収集箱５９の底壁には通風穴７０が設置され、前記通風穴７０が細かいメッシュの通気穴であり、前記洗浄箱１０の中には押し装置６３が設置され、前記振動網３１が振動し、生薬にある泥が落ち、第一押し板３０が生薬を前記洗浄空間６０の中に押し、前記水ポンプ４５が前記貯水空間４１内の水を前記噴霧化器１５の中に吸い、前記噴霧化ノズル１８により噴出し、前記洗浄装置６１が始動され生薬を洗浄し、洗浄された水が前記ろ過網１１を通じて前記貯水空間４１の中に戻り、前記ピストン板１６が下方へ移動し、前記押し装置６３が始動されて生薬を前記乾燥空間５３の中に押し、前記乾燥伝動装置６２が始動されて生薬を乾燥した後に前記生薬収集箱５９の中に送る。
【００１９】
有益的には、前記洗浄箱１０の中には生薬入り口２４が固定的に設置され、前記生薬入り口２４が下方に開口しており、前記生薬入り口２４と前記振動空間２９が連通しており、洗浄する必要がある生薬が前記生薬入り口２４を通じて前記振動空間２９の中に入る。
【００２０】
有益的には、前記洗浄箱１０の中には第一電動ガイドレール２５が設置され、前記第一電動ガイドレール２５の中には第一スライドブロック２６が設置され、前記第一スライドブロック２６が前記第一電動ガイドレール２５の中で上下にスライドでき、前記第一スライドブロック２６には第一連結ロッド２７が固定的に設置され、前記振動空間２９の中には前記振動網３１の上端面に位置した第一押し板３０が設置され、前記第一押し板３０と前記第一連結ロッド２７が固定的に連結され、前記第一スライドブロック２６が下方へ移動するとき、前記第一連結ロッド２７を通じて前記第一押し板３０を押して左方へ移動させ、前記振動網３１にある生薬を前記洗浄空間６０の中に押す。
【００２１】
有益的には、前記洗浄装置６１の中には洗浄モーター１７が固定的に設置され、前記洗浄モーター１７には洗浄回転軸４３が回転できるように設置され、前記洗浄回転軸４３には主動羽根４４が固定的に設置され、前記洗浄回転軸４３には主動歯車４２が固定的に設置され、前記主動歯車４２と伝動歯車５１が噛み合っており、前記伝動歯車５１の中には伝動軸４９が固定的に設置され、前記伝動軸４９には伝動羽根５０が固定的に設置され、前記洗浄モーター１７が始動されて前記洗浄回転軸４３を回転させ、前記洗浄回転軸４３が前記主動歯車４２と、前記伝動歯車５１により前記伝動軸４９を回転させ、前記主動羽根４４と、前記伝動羽根５０を回転させて生薬にある泥と不純物を洗浄する。
【００２２】
有益的には、前記ろ過空間１２の中には前記ろ過網１１の上表面に位置したモーター４６が固定的に設置され、前記モーター４６にはねじ山スリーブ４７が固定的に設置され、前記ねじ山スリーブ４７の中にはねじ山により連結されたねじ山ロッド４８が設置され、前記ねじ山ロッド４８が上方へ延びており、前記ねじ山ロッド４８と前記ピストン板１６とが固定的に連結され、前記モーター４６が始動されて前記ねじ山スリーブ４７を回転させ、前記ねじ山スリーブ４７が回転して前記ねじ山ロッド４８により前記ピストン板１６を下方へ移動させる。
【００２３】
有益的には、前記洗浄箱１０の中には第二電動ガイドレール２０が設置され、前記押し装置６３の中には前記第二電動ガイドレール２０の中に位置した第二スライドブロック１９が設置され、前記第二スライドブロック１９が上下にスライドでき、前記押し装置６３の中には第二押し板１３が設置され、前記第二スライドブロック１９には第二連結ロッド１４が設置され、前記第二連結ロッド１４と前記第二押し板１３とが固定的に連結され、前記第二電動ガイドレール２０が始動され、前記第二スライドブロック１９が前記第二電動ガイドレール２０の中で下方へ移動するとき、前記第二連結ロッド１４により前記第二押し板１３を押して右方へ移動させ、前記ピストン板１６にある生薬を前記第一貫穴５４と、前記第二貫穴５５により前記乾燥空間５３の中に押す。
【００２４】
有益的には、前記乾燥伝動装置６２の中には乾燥モーター７５が固定的に設置され、前記乾燥モーター７５には乾燥回転軸７４が回転できるように設置され、前記乾燥回転軸７４には乾燥羽根５６が固定的に設置され、前記乾燥モーター７５が始動されて前記乾燥回転軸７４を回転させ、前記乾燥回転軸７４が回転して前記乾燥羽根５６を回転させ、前記乾燥羽根５６が回転して前記乾燥空間５３の中の生薬を乾燥する。
【００２５】
有益的には、前記乾燥回転軸７４には第一歯車８８が固定的に設置され、前記乾燥回転軸７４には第一傘歯車７１が固定的に設置され、前記第一傘歯車７１と第二傘歯車７３とが噛み合っており、前記第二傘歯車７３には回転軸９０が回転できるように設置され、前記回転軸９０と主動回転軸５８とがプーリーにより連結され、前記乾燥伝動装置６２の中には伝動回転軸５２が回転できるように設置され、前記主動回転軸５８と前記伝動回転軸５２とがベルト５７により連結されている。
【００２６】
有益的には、前記洗浄箱１０の中には空き空間７６が設置され、前記第一歯車８８と第二歯車７２とが噛み合っており、前記第二歯車７２には第一回転軸４０が固定的に設置され、前記第一回転軸４０には第三傘歯車３８が固定的に設置され、前記第三傘歯車３８が第四傘歯車３９と噛み合っており、前記第四傘歯車３９には第二回転軸８２が回転できるように設置され、前記第二回転軸８２には第三歯車８１が固定的に設置され、前記第三歯車８１が第四歯車８０と噛み合っており、前記第四歯車８０の中には第三回転軸７８が回転できるように設置され、前記第三回転軸７８にはカム７９が固定的に設置され、前記洗浄箱１０の中にはスライド溝３４が形成され、前記スライド溝３４の中にはスライドブロック３５がスライドできるように設置され、前記スライドブロック３５と前記スライド溝３４とがばね３６により連結され、前記スライドブロック３５の左端には固定ロッド３７が固定的に設置され、前記固定ロッド３７と振動板７７とが固定的に連結され、前記カム７９により振動板７７に連続的に泥収集箱３２を振動させる。
【００２７】
本願発明の全体の機械動作の流れ：
１．洗浄する必要がある生薬が生薬入り口２４を通じて振動空間２９の中に入る。
２．乾燥モーター７５が始動されて乾燥回転軸７４を回転させ、乾燥回転軸７４が回転して第一歯車８８を回転させ、第一歯車８８と第二歯車７２が噛み合っているため、乾燥回転軸７４が回転して第一回転軸４０を回転させ、第一回転軸４０が回転して第三傘歯車３８を回転させ、第三傘歯車３８と第四傘歯車３９とが噛み合っているため、第二回転軸８２を回転させ、第二回転軸８２が回転して第三歯車８１を回転させ、第三歯車８１と第四歯車８０とが噛み合っているため、第二回転軸８２が回転して第三回転軸７８を回転させ、第三回転軸７８が回転してカム７９を回転させ、振動板７７に連続的に泥収集箱３２を振動させる。
３．第一電動ガイドレール２５が始動され、第一スライドブロック２６を第一電動ガイドレール２５の中で下方へ移動させ、第一スライドブロック２６が下方へ移動して第一連結ロッド２７を左方へ移動させて第一押し板３０を左方へ移動させ、第一押し板３０が左方へ移動して振動網３１にある生薬を入り空間２３と、入り穴２２により洗浄空間６０の中に押す。
４．水ポンプ４５が始動されて貯水空間４１の中の水を噴霧化器１５の中に吸い、噴霧化器１５の中の水が噴霧化された後に噴霧化ノズル１８により噴出し、生薬を洗浄する。
５．洗浄モーター１７が始動されて洗浄回転軸４３を回転させ、洗浄回転軸４３が主動歯車４２を回転させ、主動歯車４２が回転して伝動歯車５１を回転させ、伝動歯車５１が回転して伝動軸４９を回転させ、洗浄回転軸４３と、伝動軸４９が回転して主動羽根４４と、伝動羽根５０を回転させ、生薬にある泥と不純物を洗浄する。
６．洗浄に使われた水がろ過網１１にろ過された後貯水空間４１の中に戻る。
７．モーター４６が始動されてねじ山スリーブ４７を回転させ、ねじ山スリーブ４７が回転してねじ山ロッド４８を回転させ、ねじ山ロッド４８が回転してピストン板１６を下方へ移動させる。
８．第二電動ガイドレール２０が始動され、第二スライドブロック１９を第二電動ガイドレール２０の中で下方へ移動させ、第二スライドブロック１９が下方へ移動して第二連結ロッド１４を右方へ移動させ、第二連結ロッド１４が右方へ移動して第二押し板１３を押して右方へ移動させ、第二押し板１３が右方へ移動してピストン板１６にある生薬を第一貫穴５４と、第二貫穴５５を通じてベルト３７に押す。
９．乾燥モーター７５が始動されて乾燥回転軸７４を回転させ、乾燥回転軸７４が回転して乾燥羽根５６を回転させ、乾燥羽根５６が回転してベルト３７にある生薬を乾燥する。
１０．乾燥回転軸７４が回転して第一傘歯車７１を回転させ、第一傘歯車７１と第二傘歯車７３とが噛み合っているため、乾燥回転軸７４が回転して回転軸９０を回転させ、回転軸９０と主動回転軸５８とがプーリーにより連結されるため、回転軸９０が回転して主動回転軸５８を回転させ、主動回転軸５８が回転してベルト５７と、伝動回転軸５２を回転させ、ベルト５７にある生薬を生薬収集箱５９の中に送る。
【００２８】
以上に述べたのはただ本願発明の具体的な実施方式で、しかし本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本発明は自動化生薬洗浄設備を開示した。
【解決手段】
浄箱と前記洗浄箱の中に位置した振動空間を含み、前記振動空間の中には振動網が固定的に設置され、前記洗浄箱の中には泥収集箱が固定的に設置され、前記泥収集箱の中には泥収集空間が設置され、前記洗浄箱の中には洗浄空間が設置され、前記洗浄空間と前記振動空間が入り空間と、入り穴により連通しており、前記洗浄空間の中には噴霧化器が固定的に設置され、前記噴霧化器には噴霧化ノズルが固定的に設置され、前記噴霧化ノズルが前記噴霧化器に沿って十三個設置され、前記洗浄空間の中には洗浄装置が固定的に設置され、前記洗浄空間の中にはピストン板が設置され、前記ピストン板が上下にスライドできる。
【選択図】図１【図１】
0006807504.tif 000002
【図２】
0006807504.tif 000003
【図３】
0006807504.tif 000004
【図４】
0006807504.tif 000005
【図５】
0006807504.tif 000006